(57)【要約】      （修正有）【課題】グロメット付近の剛性を向上させて電線の曲げを抑制する。【解決手段】電線Ｗに接続される電線接続部４２を有する端子４１の電線接続部４２が電線Ｗに接続された端子付き電線４０と、端子付き電線４０が組み付けられたハウジング３０と、電線接続部４２に沿って配設された電線保持部５５を有するリテーナ５０と、リテーナ５０および端子４１を包囲して保護し、その外面に電線保持部５５と交差する配置で取付部７４が周設されたグロメット７０と、取付部７４に沿って環状に装着されることでグロメット７０に取り付けられるタイバンド８０とを備える構成とした。【選択図】図２
2015216090.tif 000002
【特許請求の範囲】
【請求項１】
電線に接続される電線接続部を有する端子の前記電線接続部が前記電線に接続された端子付き電線と、
前記端子付き電線が組み付けられたハウジングと、
前記電線接続部に沿って配設された電線保持部を有するリテーナと、
前記リテーナおよび前記端子を包囲して保護し、その外面に前記電線保持部と交差する配置で取付部が周設されたグロメットと、
前記取付部に沿って環状に装着されることで前記グロメットに取り付けられる結束部材とを備えるグロメット付きコネクタ。
【請求項２】
前記電線接続部は、前記端子付き電線の前記ハウジングへの組み付け方向と直交する方向に延設されている請求項１に記載のグロメット付きコネクタ。
【請求項３】
前記リテーナは、前記端子が交差する板状のリテーナ本体を備え、前記電線保持部は、前記リテーナ本体の周縁から前記電線の引き出し方向に突出して設けられている請求項１または請求項２に記載のグロメット付きコネクタ。
【請求項４】
前記電線保持部は、前記グロメットの内面に沿って配されている請求項１から請求項３のいずれか一項に記載のグロメット付きコネクタ。
【請求項５】
前記取付部は、前記グロメットの外面から内面側に凹んだ凹形状をなし、前記取付部に取り付けられた前記結束部材の外面は、前記グロメットの外面と面一をなして揃うもしくは前記グロメットの外面を超えない請求項１から請求項４のいずれか一項に記載のグロメット付きコネクタ。
【請求項６】
前記電線は、外径の異なる複数の電線を含むものとされ、前記複数の電線のうち相対的に外径が小さい細線については前記電線保持部に固定されている請求項１から請求項５のいずれか一項に記載のグロメット付きコネクタ。
【請求項７】
前記電線保持部は、結束バンドを通す通し孔が設けられた電線固定部を備えており、この通し孔に前記結束バンドを通して前記細線を前記電線固定部に巻き付けることで前記細線が前記電線保持部に固定されている請求項６に記載のグロメット付きコネクタ。
【発明の詳細な説明】
【技術分野】
【０００１】
本明細書によって開示される技術は、グロメット付きコネクタに関する。
【背景技術】
【０００２】
従来、ハウジングの後方に引き出された電線を包囲して保護するグロメットを備えた車両側コネクタとして、例えば特開２０１１−２４９０３９号公報（下記特許文献１）に記載のものが知られている。この車両側コネクタは、ハウジングに形成された端子収容部の内部に車両側端子が後方から挿入され、ハウジングにリテーナが後方から装着されることで車両側端子が端子収容部内において後方に向け止めされた状態に保持される。また、電線を挿通させながらこの電線を覆うグロメットがハウジングに後方から装着されることで、電線が保護されている。
【先行技術文献】
【特許文献】
【０００３】
【特許文献１】特開２０１１−２４９０３９号公報
【発明の概要】
【発明が解決しようとする課題】
【０００４】
しかしながら、上記の車両側コネクタでは、ハウジングの後方に引き出された電線が、正規の引き出し方向から曲がって引っ張られることがあり得る。この場合、グロメットが電線とともに曲げられるため、車両側端子において電線が接続された電線接続部に無理な力が加わる等のおそれがある。
【課題を解決するための手段】
【０００５】
本明細書によって開示されるグロメット付きコネクタは、電線に接続される電線接続部を有する端子の前記電線接続部が前記電線に接続された端子付き電線と、前記端子付き電線が組み付けられたハウジングと、前記電線接続部に沿って配設された電線保持部を有するリテーナと、前記リテーナおよび前記端子を包囲して保護し、その外面に前記電線保持部と交差する配置で取付部が周設されたグロメットと、前記取付部に沿って環状に装着されることで前記グロメットに取り付けられる結束部材とを備える構成とした。
【０００６】
このような構成によると、電線保持部とグロメットに取り付けられた結束部材とによってグロメットの剛性を向上させているため、電線が正規の引き出し方向から曲がって引っ張られた場合でも、グロメット内の電線の曲げを抑制できる。例えば電線が電線保持部から離れる方向に引っ張られた場合、電線の引っ張り力は結束部材を介して電線保持部に伝えられ、電線保持部が踏ん張ることによって電線の曲げが抑制される。この上、電線保持部は電線接続部に沿って配設されているから、電線接続部に無理な力が加わることを防止できる。
【０００７】
なお、電線の曲げを抑制するのであれば、結束部材によって電線を電線保持部に直接固定する方法も考えられる。しかしながら、この方法では、グロメットを電線に先通しした後、グロメットをめくった状態で電線の固定作業を行う必要があるため、作業が困難になる。その点、上記の構成では、結束部材を電線保持部に取り付けるのではなく、グロメットをハウジングに装着した状態で結束部材を取付部に取り付けるようにしているため、結束部材の取り付けが容易になる。
【０００８】
本明細書によって開示されるグロメット付きコネクタの態様として、以下の構成としてもよい。
前記電線接続部は、前記端子付き電線の前記ハウジングへの組み付け方向と直交する方向に延設されている構成としてもよい。
電線を直角に曲げようとした場合、電線の曲げ反力によって電線接続部に負荷がかかることが予想される。その点、上記の構成によると、電線を曲げなくてもよいため、電線の曲げ反力によって電線接続部に負荷がかかることはない。
【０００９】
前記リテーナは、前記端子が交差する板状のリテーナ本体を備え、前記電線保持部は、前記リテーナ本体の周縁から前記電線の引き出し方向に突出して設けられている構成としてもよい。
このような構成によると、電線保持部に負荷がかかった場合に、リテーナ本体に負荷を分散させることができる。
【００１０】
前記電線保持部は、前記グロメットの内面に沿って配されている構成としてもよい。
グロメットの内面と電線保持部とが非接触の場合、グロメットの内面が電線保持部に接触するまでに電線の曲げを許容することになる。その点、上記の構成によると、電線の引っ張り開始時から電線保持部が踏ん張って電線の曲げを抑制することになる。
【００１１】
前記取付部は、前記グロメットの外面から内面側に凹んだ凹形状をなし、前記取付部に取り付けられた前記結束部材の外面は、前記グロメットの外面と面一をなして揃うもしくは前記グロメットの外面を超えない構成としてもよい。
このような構成によると、結束部材がグロメットの外面から飛び出さないように取り付けられているため、他の電線等が結束部材に引っ掛かったりすることがない。
【００１２】
前記電線は、外径の異なる複数の電線を含むものとされ、前記複数の電線のうち相対的に外径が小さい細線については前記電線保持部に固定されている構成としてもよい。
このような構成によると、細線を電線保持部に固定することで、細線についても電線保持部に確実に固定することができる。
【００１３】
前記電線保持部は、結束バンドを通す通し孔が設けられた電線固定部を備えており、この通し孔に前記結束バンドを通して前記細線を前記電線固定部に巻き付けることで前記細線が前記電線保持部に固定されている構成としてもよい。
このような構成によると、結束バンドを通し孔に通して細線を電線固定部に巻き付けるようにしたから、結束バンドが電線固定部から外れることはなく、細線を電線固定部に強固に固定できる。
【発明の効果】
【００１４】
本明細書によって開示されるグロメット付きコネクタによれば、グロメット付近の剛性を向上させて電線の曲げを抑制することができる。
【図面の簡単な説明】
【００１５】
【図１】実施形態１におけるグロメット付きコネクタの背面図
【図２】図１におけるＡ−Ａ線断面図
【図３】リテーナの背面図
【図４】グロメットを斜め後方から見た斜視図
【図５】グロメットを斜め前方から見た斜視図
【図６】実施形態２におけるリテーナの使用状態を後方から見た背面図
【図７】リテーナの使用状態を側方から見た側面図
【図８】図２に対応する断面図であって結束バンドが通し孔に通されている様子を示した断面図
【図９】リテーナの背面図
【図１０】リテーナの正面図
【図１１】電線固定部の要部拡大斜視図
【図１２】低圧電線を結束バンドによって電線固定部に巻き付けた状態を示した要部拡大斜視図
【発明を実施するための形態】
【００１６】
＜実施形態１＞
実施形態１を図１から図５の図面を参照しながら説明する。本実施形態におけるコネクタ１０は、図１に示すハウジング３０と、図３に示すリテーナ５０と、図４および図５に示すグロメット７０とを備えて構成されたグロメット付きコネクタとされている。このコネクタ１０は、例えば自動車のボディ等に取り付けられる車両側コネクタであって、インレット等の名称で呼ばれる場合がある。また、図示はしないものの、コネクタ１０は、例えば自動車に搭載されたバッテリに接続されており、充電器に設けられた充電用コネクタが前方から嵌合することでバッテリへの充電が行われるようになっている。
【００１７】
ハウジング３０は、図１に示すように、車両のボディにボルトで取り付け固定されるフランジ部３１を備えている。ハウジング３０には、図２に示すように、複数の端子付き電線４０が後方から組み付けられている。この端子付き電線４０は、Ｌ字形をなす端子４１と、電線Ｗとを備えて構成されている。この端子４１は、電源端子と、アース端子と、信号端子とを含み、各端子は、それぞれ電線Ｗが接続される電線接続部４２を有している。この電線接続部４２は、電線Ｗの端部に露出された芯線に圧着されるクローズドバレル形式の圧着部とされている。なお、電線Ｗは、電源端子に接続される高圧電線Ｗ１と、信号端子に接続される低圧電線Ｗ２とを含み、低圧電線Ｗ２は高圧電線Ｗ１よりも外径が小さい細線とされている。
【００１８】
リテーナ５０は、図３に示すように、平面視略円形で平板状のリテーナ本体５１と、このリテーナ本体５１の周縁から後方（図３の紙面手前側）に突出する一対の周壁５２とを備えて構成されている。リテーナ本体５１には、端子４１が固定される複数の端子固定部５３が設けられている。この端子固定部５３は、上下２段に分かれてリテーナ本体５１の径方向外側に開口した略Ｕ字状をなしている。これらの端子固定部５３の奥端部はくびれた形状となっており、このくびれた部分に端子４１が半周以上に亘って囲まれることで端子４１がリテーナ本体５１と交差した姿勢で端子固定部５３に固定される。
【００１９】
周壁５２は、ハウジング３０に係止する複数の係止部５４を備えている。一方、ハウジング３０には、図示はしないものの、係止部５４と係止する係止突部が設けられている。リテーナ５０に端子付き電線４０を予め組み付けて端子付きリテーナを構成し、この端子付きリテーナをハウジング３０に組み付けると、複数の係止部５４が対応する係止突部に係止することでリテーナ５０がハウジング３０に固定される。また、複数の端子４１は、ハウジング３０の図示しないキャビティに後方から収容されて端子固定部５３によって抜け止めされる。
【００２０】
リテーナ本体５１の下端部には、電線保持部５５が下方（端子付き電線４０のハウジング３０への組み付け方向と直交する方向）に延設されている。この電線保持部５５は略門形をなし、リテーナ本体５１の下端部から下方に突出する形態とされている。また、電線保持部５５は、一対の脚部５６と、これらの脚部５６を連結する連結部５７とを備えて構成されている。一対の脚部５６は、リテーナ本体５１の周縁のうち下段中央の端子固定部５３Ｌの左右両側に配された周縁にそれぞれ連結されている。
【００２１】
グロメット７０は、図４に示すように、円形の蓋状をなす蓋状部７１と、この蓋状部７１から筒状をなして下方に突出する筒状部７２と、この筒状部７２の下端部から二股に分岐してそれぞれ管状をなす一対の管状部７３Ａ、７３Ｂとを備えて構成されている。一方の管状部７３Ａはほぼ同径のまま下方に延びる円筒部とされ、他方の管状部７３Ｂは下方に向かうほど小径となる先細りの円錐筒部とされている。一方の管状部７３Ａの上端と他方の管状部７３Ｂの上端とはほぼ同径とされているのに対して、他方の管状部７３Ｂの下端は一方の管状部７３Ａの下端よりも小径とされている。蓋状部７１の内部と筒状部７２の内部と一対の管状部７３Ａ、７３Ｂの内部とは互いに連通している。蓋状部７１は、リテーナ５０のリテーナ本体５１を内部に収容可能とされている。また、蓋状部７１の内径は、リテーナ本体５１の外径とほぼ等しい。このため、グロメット７０をハウジング３０に組み付けると、リテーナ５０のリテーナ本体５１と端子４１のうちリテーナ本体５１と交差する水平部分とが蓋状部７１に包囲されて保護される。
【００２２】
図２に示すように、筒状部７２の内部には、端子４１の電線接続部４２、この電線接続部４２から下方に延びる電線Ｗ、およびリテーナ５０の電線保持部５５が収容されている。これにより、端子４１の電線接続部４２、電線Ｗ、およびリテーナ５０の電線保持部５５については、筒状部７２に包囲されて保護される。また、電線Ｗについては、管状部７３Ａ、７３Ｂによってさらに下方まで包囲され保護されている。詳細には図１に示すように、複数の高圧電線Ｗ１は１箇所にまとめられて図示左側の管状部７３Ａの内部に挿通され、複数の低圧電線Ｗ２は１箇所にまとめられて図示右側の管状部７３Ｂの内部に挿通されている。
【００２３】
筒状部７２の内面７２Ｉは、電線保持部５５の前面５５Ｆに沿うように配されている。このため、筒状部７２の内面７２Ｉと電線保持部５５の前面５５Ｆとは、ほぼ接した状態とされている。一方、筒状部７２の外面には、環状のタイバンド８０が取り付けられる取付部７４が周設されている。この取付部７４は、筒状部７２の外面から内面側に凹んだ凹形状をなしている。すなわち、筒状部７２は、取付部７４の位置でくびれた形状とされている。タイバンド８０の厚さと取付部７４の深さとは同じ寸法とされている。このため、取付部７４に取り付けられたタイバンド８０の外面は、筒状部７２の外面と面一をなして揃うことになる。
【００２４】
筒状部７２のうち取付部７４よりも下側部分７２Ｌは、上側部分７２Ｕよりも厚肉に形成されている。また、筒状部７２の上側部分７２Ｕと取付部７４とは段差形状をなして連なっており、取付部７４は、筒状部７２の上側部分７２Ｕよりも小径とされている。一方、電線保持部５５は、筒状部７２の段差形状に対応して段差部５８を有している。これにより、電線保持部５５のうち段差部５８よりも上側部分５５Ｕは筒状部７２の上側部分７２Ｕに接触し、電線保持部５５のうち段差部５８よりも下側部分５５Ｌは筒状部７２の下側部分７２Ｌに接触する。
【００２５】
下段の端子４１の電線接続部４２は、取付部７４と同じ高さに位置しているものの、上段の端子４１の電線接続部４２は、取付部７４よりも上方に位置している。また、取付部７４に取り付けられたタイバンド８０は、電線保持部５５と直交する配置とされている。このため、電線Ｗが振られる等してタイバンド８０がどの方向に動こうとしても、必ず電線保持部５５と干渉することになり、電線Ｗの振れが防止されることになる。
【００２６】
本実施形態は以上のような構成であって、続いてその作用を説明する。電線Ｗが後方（図２の図示左方向）に引っ張られた場合、電線Ｗによって管状部７３Ａ、７３Ｂが前方に曲げられ、筒状部７２の下側部分７２Ｌが踏ん張ることで、筒状部７２内の電線Ｗの曲げについてはある程度抑えられる。しかしながら、強い力で電線Ｗが後方に引っ張られると、管状部７３Ａ、７３Ｂに引きずられて筒状部７２の下側部分７２Ｌが後方に引っ張られ、タイバンド８０が後方に引っ張られようとする。ここで、タイバンド８０は電線保持部５５によって後方への移動が抑制されているため、筒状部７２の上側部分７２Ｕが後方へ引っ張られることはなく、筒状部７２内に収容された電線Ｗの曲げは抑制される。したがって、電線Ｗに連なる電線接続部４２に無理な力がかかることはない。
【００２７】
また、電線Ｗが引っ張られた際に、グロメット７０がハウジング３０から外れてしまうことを電線保持部５５によって防止できる。さらに、グロメット７０をハウジング３０に組み付ける際に、筒状部７２を電線保持部５５に引掛けながら蓋状部７１をめくることができるため、グロメット７０をハウジング３０に装着しやすくなる。
【００２８】
以上のように本実施形態では、電線保持部５５とグロメット７０に取り付けられたタイバンド８０とによってグロメット７０の剛性を向上させているため、電線Ｗが正規の引き出し方向から曲がって引っ張られた場合でも、グロメット７０内の電線の曲げを抑制できる。例えば電線Ｗが電線保持部５５から離れる方向に引っ張られた場合、電線Ｗの引っ張り力はタイバンド８０を介して電線保持部５５に伝えられ、電線保持部５５が踏ん張ることによって電線Ｗの曲げが抑制される。この上、電線保持部５５は電線接続部４２に沿って配設されているから、電線接続部４２に無理な力が加わることを防止できる。
【００２９】
なお、電線Ｗの曲げを抑制するのであれば、タイバンド８０によって電線Ｗを電線保持部５５に直接固定する方法も考えられる。しかしながら、この方法では、グロメット７０を電線Ｗに先通しした後、グロメット７０をめくった状態で電線Ｗの固定作業を行う必要があるため、作業が困難になる。その点、上記の構成では、タイバンド８０を電線保持部５５に取り付けるのではなく、グロメット７０をハウジング３０に装着した状態でタイバンド８０を取付部７４に取り付けるようにしているため、タイバンド８０の取り付けが容易になる。
【００３０】
電線接続部４２は、端子付き電線４０のハウジング３０への組み付け方向と直交する方向に延設されている構成としてもよい。
電線Ｗを直角に曲げようとした場合、電線Ｗの曲げ反力によって電線接続部４２に負荷がかかることが予想される。その点、上記の構成によると、電線Ｗを曲げなくてもよいため、電線Ｗの曲げ反力によって電線接続部４２に負荷がかかることはない。
【００３１】
リテーナ５０は、端子４１が交差する板状のリテーナ本体５１を備え、電線保持部５５は、リテーナ本体５１の周縁から電線Ｗの引き出し方向に突出して設けられている構成としてもよい。
このような構成によると、電線保持部５５に負荷がかかった場合に、リテーナ本体５１に負荷を分散させることができる。
【００３２】
電線保持部５５は、グロメット７０の内面に沿って配されている構成としてもよい。
グロメット７０の内面と電線保持部５５とが非接触の場合、グロメット７０の内面が電線保持部５５に接触するまでに電線Ｗの曲げを許容することになる。その点、上記の構成によると、電線Ｗの引っ張り開始時から電線保持部５５が踏ん張って電線Ｗの曲げを抑制することになる。
【００３３】
取付部７４は、グロメット７０の外面から内面側に凹んだ凹形状をなし、取付部７４に取り付けられたタイバンド８０の外面は、グロメット７０の外面と面一をなして揃うもしくはグロメット７０の外面を超えない構成としてもよい。
このような構成によると、タイバンド８０がグロメット７０の外面から飛び出さないように取り付けられているため、他の電線等がタイバンド８０に引っ掛かったりすることがない。
【００３４】
＜実施形態２＞
次に、実施形態２について図６から図１２の図面を参照しながら説明する。実施形態２のコネクタ１１０は、実施形態１のリテーナ５０の構成を一部変更したものであって、その他の構成については同じである。実施形態１のコネクタ１０と重複する説明については省略するものとし、同じ構成については同一の符号を用いるものとする。
【００３５】
電線Ｗは、図６に示すように、高圧電線Ｗ１と低圧電線Ｗ２の少なくとも２本の電線を含むものとされている。一方、端子４１は、電源端子４１Ａとアース端子４１Ｂと信号端子４１Ｃとを含むものとされている。電源端子４１Ａは上段側に左右一対配され、アース端子４１Ｂは下段側に１つ配され、信号端子４１Ｃは中段側に左右一対配されている。
【００３６】
高圧電線Ｗ１は図示３つ設けられ、これらの高圧電線Ｗ１には一対の電源端子４１Ａとアース端子４１Ｂとがそれぞれ接続されている。また、低圧電線Ｗ２は図示２つ設けられ、これらの低圧電線Ｗ２には一対の信号端子４１Ｃがそれぞれ接続されている。図７に示すように、低圧電線Ｗ２は最も前側（フランジ部３１に近い側）に配され、その後方に、アース端子４１Ｂに接続された高圧電線Ｗ１、電源端子４１Ａに接続された高圧電線Ｗ１がこの順に並んで配されている。
【００３７】
本実施形態のリテーナ１５０は、実施形態１のリテーナ５０の電線保持部５５の構成を一部変更したものである。リテーナ本体５１の下端部には、電線保持部１５５が下方（端子付き電線４０のハウジング３０への組み付け方向と直交する方向）に延設されている。この電線保持部１５５は、略門形をなす門形部１５８と、この門形部１５８から下方に延びる電線固定部１５９とを備えて構成されている。門形部１５８はリテーナ本体５１の下端部から下方に突出する形態とされている。また、門形部１５８は、一対の脚部１５６と、これらの脚部１５６を連結する連結部１５７とを備えて構成されている。一対の脚部１５６は、リテーナ本体５１の周縁のうち下段中央の端子固定部５３Ｌの左右両側に配された周縁にそれぞれ連結されている。
【００３８】
電線固定部１５９は連結部１５７のほぼ半分の幅寸法とされ、連結部１５７の右半分から下方に延出する形態とされている。電線固定部１５９は、巻き付け部１６０を有している。この巻き付け部１６０は、電線固定部１５９の下端部に位置し、電線固定部１５９よりも幅広とされている。また、一対の脚部１５６のうち電線固定部１５９の上方に位置する脚部１５６から巻き付け部１６０にかけて補強リブ１６１が直線状をなして下方に延出して設けられている。この補強リブ１６１は左右方向において電線固定部１５９の右端に位置しているのに対して、巻き付け部１６０の中心に位置している。
【００３９】
図１１に示すように、巻き付け部１６０には、結束バンド８１を通す通し孔１６２が設けられている。この通し孔１６２は、補強リブ１６１における巻き付け部１６０との連結部分に位置し、図１０に示すように、リテーナ１５０のハウジング３０に対する装着側（図１０における紙面手前側）に臨んで配されている。図１２に示すように、一対の低圧電線Ｗ２を巻き付け部１６０に沿わせるようにして補強リブ１６１の左右両側にそれぞれ配し、結束バンド８１を通し孔１６２に通して巻き付けることで一対の低圧電線Ｗ２が巻き付け部１６０および補強リブ１６１に固定される。
【００４０】
図７に示すように、低圧電線Ｗ２は電線固定部１５９および巻き付け部１６０に沿って配されており、グロメット７０の背面から離れた位置に配されている。このような構成において、実施形態１と同様に、低圧電線Ｗ２を電線保持部１５５に保持しないとした場合、低圧電線Ｗ２が後方に引っ張られ、タイバンド８０による低圧電線Ｗ２の引っ張りが抑制されるまでに低圧電線Ｗ２が相当な角度で曲げられて、信号端子４１Ｃの電線接続部４２に引っ張り力が及ぶことになる。その点、本実施形態では低圧電線Ｗ２が巻き付け部１６０に直接固定されているから、引っ張り力が巻き付け部１６０よりも上方に及ぶことはなく、引っ張り力が信号端子４１Ｃの電線接続部４２に及ぶことはない。また、図８に示すように、巻き付け部１６０はタイバンド８０よりも下方に位置しているから、タイバンド８０よりも先に結束バンド８１によって低圧電線Ｗ２の引っ張り抑制が行われることになる。したがって、信号端子４１Ｃの電線接続部４２に引っ張り力が及ぶことを防止できる。なお、高圧電線Ｗ１が後方に引っ張られた場合については、実施形態１と同様であるため、その説明を省略する。
【００４１】
以上のように本実施形態では、電線Ｗは、外径の異なる複数の電線を含むものとされ、複数の電線のうち相対的に外径が小さい細線（低圧電線Ｗ２）については電線保持部１５５に固定されている構成としたから、細線を電線保持部１５５に固定することで、細線についても電線保持部１５５に確実に固定することができる。
【００４２】
また、電線保持部１５５は、結束バンド８１を通す通し孔１６２が設けられた電線固定部１５９を備えており、この通し孔１６２に結束バンド８１を通して細線を電線固定部１５９に巻き付けることで細線が電線保持部１５５に固定されている構成としてもよい。
このような構成によると、結束バンド８１を通し孔１６２に通して細線を電線固定部１５９に巻き付けるようにしたから、結束バンド８１が電線固定部１５９から外れることはなく、細線を電線固定部１５９に強固に固定できる。
【００４３】
＜他の実施形態＞
本明細書で開示される技術は上記記述及び図面によって説明した実施形態に限定されるものではなく、例えば次のような種々の態様も含まれる。
（１）上記実施形態では、取付部７４に取り付けられたタイバンド８０の外面がグロメット７０の外面と面一をなして揃うものを例示したものの、タイバンド８０の外面がグロメット７０の外面を超えない範囲であれば他の形態でもよい。
【００４４】
（２）上記実施形態では、Ｌ字形の端子４１を例示しているものの、ストレート形状の端子としてもよい。
【００４５】
（３）上記実施形態では、端子４１がリテーナ本体５１と交差する配置とされているものの、端子の後方に配されて端子の後端に後方から係止することで端子の抜け止めを行う板状のリテーナ本体としてもよい。
【００４６】
（４）実施形態１では、電線保持部５５がグロメット７０の内面に接触しているものの、実施形態２のように、電線保持部１５５とグロメット７０の内面との間にわずかな隙間があってもよい。
【００４７】
（５）上記実施形態では、取付部７４が筒状部７２の外面から凹んだ凹形状をなすものを例示しているものの、取付部が筒状部の外面と面一をなすものでもよい。
【００４８】
（６）実施形態１では、低圧電線Ｗ２が電線保持部５５に直接固定されないものを例示しているものの、実施形態１においても結束バンド８１等を用いて低圧電線Ｗ２を電線保持部５５に直接固定してもよい。
【００４９】
（７）実施形態２では、結束バンド８１を巻き付け部１６０に巻き付けることによって低圧電線Ｗ２を電線固定部１５９に固定しているものの、電線固定部１５９の側方にヒンジを介して連結された蓋部材を電線固定部１５９に向けて回動させて係止させることで蓋部材によって低圧電線Ｗ２を固定してもよい。
【００５０】
（８）実施形態２では、細線として低圧電線Ｗ２を例示しているが、複数の電線のうち相対的に外径が小さい細線であればよく、電圧によって決定されるものではない。
【符号の説明】
【００５１】
１０、１１０…コネクタ（グロメット付きコネクタ）
３０…ハウジング
４０…端子付き電線
４１…端子
４２…電線接続部
５０、１５０…リテーナ
５１…リテーナ本体
５５…電線保持部
７０…グロメット
７２Ｉ…（筒状部の）内面
７４…取付部
８０…タイバンド（結束部材）
８１…結束バンド
１５５…電線保持部
１５９…電線固定部
１６０…巻き付け部
１６２…通し孔
Ｗ…電線
Ｗ２…低圧電線（細線）
【図１】
2015216090.tif 000003
【図２】
2015216090.tif 000004
【図３】
2015216090.tif 000005
【図４】
2015216090.tif 000006
【図５】
2015216090.tif 000007
【図６】
2015216090.tif 000008
【図７】
2015216090.tif 000009
【図８】
2015216090.tif 000010
【図９】
2015216090.tif 000011
【図１０】
2015216090.tif 000012
【図１１】
2015216090.tif 000013
【図１２】
2015216090.tif 000014